(57)【要約】【課題】ユーザが所望する路線以外の路線の交通情報を提供することなく、ユーザによって選択された路線のみの簡易地図として表示し、該簡易地図上に交通情報を表示することを可能にする。【解決手段】ユーザ側の携帯端末において動作しているアプリケーションに対して、該ユーザーが予め選択し登録した高速道路及び一般道路の簡易地図情報を送信して簡易地図を描画表示し、該簡易地図上にユーザが予め選択し登録した高速道路及び一般道路の路線の渋滞状況や規制状況を表示し提供する。【選択図】図１
2005207921.tif 000002
【特許請求の範囲】
【請求項１】
アプリケーションソフトウェアを取得し、これを動作する機能を持った携帯端末に対してリアルタイムの交通情報を表示する交通情報提供システムにおいて、ユーザ側の携帯端末において動作しているアプリケーションソフトウェアに対して、ユーザが予め選択し登録した高速道路及び一般道路の路線の簡易地図情報を送信し、ユーザ側の携帯端末において動作しているアプリケーションにおいて、簡易地図を描画、表示し、また拡大、縮小、上下左右の移動の動作を可能とした簡易地図上に、ユーザが予め選択し登録した高速道路及び一般道路の路線の渋滞状況や規制状況等を表示し提供するユーザインターフェイスに重点を置いたリアルタイムの交通情報を表示させるように構成したことを特徴とする携帯端末用交通情報提供システム。
【請求項２】
請求項１の携帯端末用交通情報提供システムにおいて、ユーザ側の携帯端末において動作しているアプリケーションソフトウェアに対して、ユーザが予め選択し登録した高速道路及び一般道路の路線の簡易地図情報を送信し、ユーザ側の携帯端末において動作しているアプリケーションにおいて、簡易地図を描画、表示し、また拡大、縮小、上下左右の移動の動作を可能とした簡易地図上に、ユーザが予め選択し登録した高速道路及び一般道路の路線の渋滞状況や規制状況等を表示し提供するユーザインターフェイスに重点を置いたリアルタイムの交通情報を表示するように構成したことを特徴とする双方向型の携帯端末用交通情報提供システム。
【請求項３】
請求項１の携帯端末用交通情報提供システムにおいて、交通情報提供元より受信したリアルタイムの交通情報を、ユーザ側の携帯端末において動作しているアプリケーションソフトウェアに対して、ユーザが予め選択し登録した高速道路及び一般道路の路線の簡易地図情報を送信し、ユーザ側の携帯端末において動作しているアプリケーションにおいて、簡易地図を描画、表示し、また拡大、縮小、上下左右の移動の動作を可能とした簡易地図上に、ユーザが予め選択し登録した高速道路及び一般道路の路線の渋滞状況や規制状況等を表示し提供するユーザインターフェイスに重点を置いたリアルタイムの交通情報を常時提供し、所望によりユーザの選択によって指定された所望路線の簡易地図及び交通情報を携帯端末に表示する事が出来るように構成したことを特徴とする携帯端末用交通情報提供システム。
【発明の詳細な説明】
【技術分野】
【０００１】
本発明は、交通情報の提供メディアを、通信によるアプリケーションソフトウェアを取得し、これを動作する機能を持った携帯電話、携帯用パソコン、その他の携帯型の端末装置を受信端末（以下「携帯端末」という）とし、当該携帯端末に対して双方向的な通信によりユーザから指定される路線の渋滞情報や規制情報に関する事象の提供要請に基づいて、リアルタイムの交通情報を簡易地図上に表示し提供することを可能にしたユーザインターフェイスに重点を置いた交通情報提供システムに関するものである。
【０００２】
即ち、本発明に係る携帯端末用交通情報提供システムにおいて、ユーザ側の携帯端末において動作しているアプリケーションソフトウェアに対して、ユーザが予め選択し登録した高速道路及び一般道路の路線の簡易地図情報を送信し、ユーザ側の携帯端末において動作しているアプリケーションにおいて、簡易地図を描画、表示し、また拡大、縮小、上下左右の移動の動作を可能とした簡易地図上に、ユーザが予め選択し登録した高速道路及び一般道路の路線の渋滞状況や規制状況等を表示し提供するユーザインターフェイスに重点を置いた表示方法を採用したものである。
【背景技術】
【０００３】
従来の、例えば簡易地図上に渋滞状況や規制状況等の交通情報を表示する提供方法においては、予め用意された地域毎の簡易地図上の路線に渋滞状況や規制状況等の交通情報を表示し提供していた。このような提供方法では予め地域や路線が決められた簡易地図であることから、ユーザが所望する路線を選択できる手段はなく、ユーザが所望する路線以外の路線の渋滞状況や規制状況等の交通情報も提供されることとなり、その中からユーザが所望する路線の情報を見つける事は煩雑であり、利便性に欠けるという欠点があった。
【０００４】
加えて、ユーザが所望する路線以外の情報も得ることとなるので、ユーザが意図しない情報を得るために、それに関わる通信時間や通信料金をユーザが負担することになるという問題があった。
【特許文献１】特開平６−１１０３８４号公報
【発明の開示】
【発明が解決しようとする課題】
【０００５】
本発明は、上記問題を鑑みて創案されたものであり、ユーザが所望する路線以外の路線の渋滞状況や規制状況に関する交通情報が提供されることなく、ユーザによって選択された路線を簡易地図として表示し、その簡易地図上にユーザによって選択された路線の渋滞状況や規制状況等を提供するユーザインターフェースに重点を置いたリアルタイムの交通情報を提供することを目的とするものである。
【課題を解決するための手段】
【０００６】
本発明は、アプリケーションソフトウェアを取得し、これを動作する機能を持った携帯端末に対してリアルタイムの交通情報を表示する交通情報提供システムにおいて、ユーザ側の携帯端末において動作しているアプリケーションソフトウェアに対して、ユーザが予め選択し登録した高速道路及び一般道路の路線の簡易地図情報を送信し、ユーザ側の携帯端末において動作しているアプリケーションにおいて、簡易地図を描画、表示し、また拡大、縮小、上下左右の移動の動作を可能とした簡易地図上に、ユーザが予め選択し登録した高速道路及び一般道路の路線の渋滞状況や規制状況に関する情報を表示し提供するユーザインターフェイスに重点を置いたリアルタイムの交通情報を表示させるように構成したことを趣旨とするものである。
【０００７】
また、本発明に係る携帯端末用交通情報提供システムにおいて、ユーザ側の携帯端末において動作しているアプリケーションソフトウェアに対して、ユーザが予め選択し登録した高速道路及び一般道路の路線の簡易地図情報を送信し、ユーザ側の携帯端末において動作しているアプリケーションにおいて、簡易地図を描画、表示し、また拡大、縮小、上下左右の移動の動作を可能とした簡易地図上に、ユーザが予め選択し登録した高速道路及び一般道路の路線の渋滞状況や規制状況に関する情報を表示し提供するユーザインターフェイスに重点を置いたリアルタイムの交通情報を表示するように構成することもできる。
【０００８】
更に、交通情報提供元より受信したリアルタイムの交通情報を、ユーザ側の携帯端末において動作しているアプリケーションソフトウェアに対して、ユーザが予め選択し登録した高速道路及び一般道路の路線の簡易地図情報を送信し、ユーザ側の携帯端末において動作しているアプリケーションにおいて、簡易地図を描画、表示し、また拡大、縮小、上下左右の移動の動作を可能とした簡易地図上に、ユーザが予め選択し登録した高速道路及び一般道路の路線の渋滞状況や規制状況に関する情報を表示し提供するユーザインターフェイスに重点を置いたリアルタイムの交通情報を常時提供し、所望によりユーザの選択によって指定された所望路線の簡易地図及び交通情報を携帯端末に表示する事が出来るように構成することもできる。
【発明の効果】
【０００９】
本発明に係る携帯端末用交通情報提供システムは、上記の如く、ユーザ側の携帯端末において動作しているアプリケーションソフトウェアに対して、ユーザが予め選択し登録した高速道路及び一般道路の路線の簡易地図情報を送信し、ユーザ側の携帯端末において動作しているアプリケーションにおいて、簡易地図を描画、表示し、また拡大、縮小、上下左右の移動の動作を可能とすることができ、かつ、ユーザが所望する路線以外の簡易地図情報や渋滞状況、規制状況等の情報を提供することなく、簡易地図上に、ユーザが予め選択し登録した高速道路及び一般道路の路線の渋滞状況や規制状況等の情報を表示し提供することができるという優れた作用効果を奏するものである。
【発明を実施するための最良の形態】
【００１０】
即ち、本発明に係る携帯端末用交通情報提供システムにおいて、ユーザ側の携帯端末において動作しているアプリケーションソフトウェアに対して、ユーザが予め選択し登録した高速道路及び一般道路の路線の簡易地図情報を送信し、ユーザ側の携帯端末において動作しているアプリケーションにおいて、簡易地図を描画、表示し、また拡大、縮小、上下左右の移動の動作を可能とした簡易地図上に、ユーザが予め選択し登録した高速道路及び一般道路の路線の渋滞状況や規制状況等の交通情報を表示し提供するユーザインターフェイスに重点を置いた表示方法を採用したものである。
【実施例１】
【００１１】
図１は、本発明に係る携帯端末用交通情報提供システムの実施の形態の一例を示す概略ブロック図である。
【００１２】
図１において、１から５は交通情報提供システムのうち中央側システムであり、６から１１は交通情報提供システムのうち端末側システムである。
【００１３】
図１において、１は交通情報の情報受信を行う交通情報受信手段、２は受信した交通情報を蓄積する交通情報受信データ蓄積手段、３は端末側から５の情報提供手段を介して要求された交通情報及び簡易地図情報を、２の交通情報受信データ蓄積手段及び４の簡易地図情報蓄積手段より必要なデータを検索し、５の情報提供手段に応答するデータベース検索手段、４は予め用意した簡易地図情報を蓄積する簡易地図情報蓄積手段、５は端末側システムからの要求の受信や、その要求結果をユーザに提供する情報提供手段である。
【００１４】
また、図１において、６は１０の路線登録情報蓄積手段から情報を受信する路線情報を読み込み、５の情報提供手段に交通情報及び簡易地図情報を要求し、受信した交通情報を７の交通情報蓄積手段に格納し、また、受信した簡易地図情報を８の簡易地図情報蓄積手段に格納する情報要求・受信手段、７は６の情報要求・受信手段より受信した交通情報を蓄積する交通情報蓄積手段、８は６の情報要求・受信手段より受信した簡易地図情報を蓄積する簡易地図情報蓄積手段、９は７の交通情報蓄積手段及び８の簡易地図情報蓄積手段に格納されている交通情報及び簡易地図情報を読み出し描画する描画手段、１０は１１の路線登録変更設定手段により登録、変更された路線情報を蓄積する路線登録情報蓄積手段、１１はユーザに対してユーザが所望する路線情報の登録、変更設定する手段を提供し、１０の路線登録情報蓄積手段から路線登録情報を読み出し、登録、変更結果を格納する路線登録変更設定手段である。
【００１５】
次に、上記各部の構成及び関連性、機能の概要を説明する。
【００１６】
図２は、情報提供元から交通情報を受信し、交通情報及び簡易地図情報の要求に対して要求結果を送信するまでを示した機能概要シーケンス図である。
【００１７】
図２において、交通情報受信手段１は情報提供元からデータを受信し、交通情報受信データ蓄積手段２に送信する。
【００１８】
交通情報受信データ蓄積手段２は交通情報受信手段１から受信したデータを蓄積する。一方、ユーザの所望及び一定時間毎の契機で情報要求・受信手段６は、情報提供手段５
に対して、通信にて交通情報及び簡易地図情報の要求を行う。
【００１９】
情報要求・受信手段６から要求を受けた情報提供手段５は、要求をデータベース検索手段３に送信し、要求を受けたデータベース検索手段３は交通情報の要求に対しては交通情報受信データ蓄積手段２から検索、読み出しを行い、簡易地図情報の要求に対しては簡易地図情報蓄積手段４から予め蓄積してある簡易地図データを検索、読み出しを行い、その結果を情報提供手段５に送信する。
【００２０】
データベース検索手段３から要求に対する結果を受け取った情報提供手段５は、受け取った交通情報及び簡易地図情報を情報要求・受信手段６に送信する。
【００２１】
図３は、ユーザの所望により路線データの登録及び変更設定が行われた事を契機に、交通情報及び簡易地図情報の要求を行い、受信結果を描画するまでを示した機能概要シーケンス図である。
【００２２】
図３において、ユーザの所望により路線データの登録及び変更設定が行われた事を契機に路線登録変更設定手段１１は、登録及び変更設定結果を路線登録情報蓄積手段１０に送信する。
【００２３】
路線登録情報蓄積手段１０は登録及び変更設定を蓄積し、登録及び変更設定が行われたことを情報要求・受信手段６に通知する。
【００２４】
通知を受けた情報要求・受信手段６は路線登録情報蓄積手段１０から登録路線情報を読み出し、情報提供手段５に対して、簡易地図情報、交通情報の順に情報送信の要求を通信にて行う。
【００２５】
情報提供手段５から簡易地図情報を受け取った情報要求・受信手段６は、簡易地図情報蓄積手段８に対して受け取った簡易地図情報を送信し、簡易地図情報蓄積手段８は受け取った簡易地図情報を蓄積する。
【００２６】
簡易地図情報を簡易地図情報蓄積手段８に送信した情報要求・受信手段６は、描画手段９に対して簡易地図情報蓄積手段８に簡易地図情報を送信した旨を通知し、描画手段９は情報要求・受信手段６からの通知を契機に、簡易地図情報蓄積手段８から簡易地図情報を読み出し、簡易地図の描画を行う。
【００２７】
また、情報提供手段５から交通情報を受け取った情報要求・受信手段６は、交通情報蓄積手段７に対して受け取った交通情報を送信し、交通情報蓄積手段７は受け取った交通情報を蓄積する。
【００２８】
交通情報を交通情報蓄積手段７に送信した情報要求・受信手段６は、描画手段９に対して交通情報蓄積手段７に交通情報を送信した旨を通知し、描画手段９は情報要求・受信手段６からの通知を契機に、交通情報蓄積手段７から交通情報を読み出し、簡易地図上に交通地図の描画を行う。
【００２９】
図４は、ユーザの所望及び一定時間毎の契機で交通情報の要求を行い、交通情報の受信結果を描画するまでを示した機能概要シーケンス図である。
【００３０】
図４において、ユーザの所望及び一定時間毎の契機で、情報要求・受信手段６は路線登録情報蓄積手段１０から登録路線情報を読み出し、情報提供手段５に対して、交通情報の情報送信の要求を通信にて行う。
【００３１】
情報提供手段５から交通情報を受け取った情報要求・受信手段６は、交通情報蓄積手段７に対して受け取った交通情報を送信し、交通情報蓄積手段７は受け取った交通情報を蓄積する。
【００３２】
交通情報を交通情報蓄積手段７に送信した情報要求・受信手段６は、描画手段９に対して交通情報蓄積手段７に交通情報を送信した旨を通知し、描画手段９は情報要求・受信手段６からの通知を契機に、交通情報蓄積手段７から交通情報を読み出し、簡易地図上に交通地図の描画を行う。
【００３３】
次に、ユーザに提供するユーザインターフェースである簡易地図画面、簡易地図上に描画された交通情報描画画面を説明する。
【００３４】
図５は、交通情報受信データ蓄積手段２に蓄積されている交通情報受信データベースである。このデータベースは、交通情報受信手段１において受信した交通情報を編集し、交通情報受信データベースとして交通情報受信データ蓄積手段２に蓄積しており、１事象で１レコードとし、その事象が発生している路線コードや事象コード、始点名称、始点リンク番号、始点距離、終点名称、終点リンク番号、終点距離、原因、事象名称等で構成している。
【００３５】
図６は、簡易地図情報蓄積手段４に予め作成されている簡易地図情報データベースである。このデータベースは、簡易地図及び交通情報を簡易地図上に描画するための描画点等を蓄積しているもので、路線内にある交差点、ＩＣ、ＪＣＴ等で区切ったリンクを１レコードとして、路線コードやリンク番号、描画データなどで構成している。
【００３６】
図７は、路線登録情報蓄積手段１０に予め作成されている路線登録情報データベースである。このデータベースは、ユーザの所望する路線のみの交通情報及び簡易地図を表示するためのもので、路線コードや路線名称、路線の描画の有無を示す表示で構成している。  
【００３７】
図８はユーザが所望する路線のみを描画した簡易地図の表示例である。
【００３８】
図９はユーザが所望する路線のみを描画した簡易地図上に、ユーザが所望する路線のみの交通情報を描画した表示例である。
【００３９】
情報要求・受信手段６は、ユーザの所望する路線の登録及び変更設定した、或いはユーザが交通情報の更新を所望した、或いは一定時間毎の交通情報の更新を契機に、路線登録情報蓄積手段１０に蓄積されている路線登録情報データを読み出し、路線登録情報データの表示という項目にて「１」となっている路線のみの交通情報及び簡易地図情報を情報提供手段５に対して要求する。
【００４０】
その結果、ユーザが所望する路線の簡易地図情報のみが描画手段９にて、ユーザが所望する路線のみを描画した簡易地図上に図８の表示例のように描画され、また、ユーザが所望する路線の交通情報のみが描画手段９にて、図９の表示例のように描画され参照することが可能となる。
【産業上の利用可能性】
【００４１】
上記の実施の形態において、ユーザと交通情報提供元との間の双方向通信によって交通情報の提供を行うシステムを開示したものであるが、交通情報提供元より受信したリアルタイムの交通情報を、ユーザ側の携帯端末において動作しているアプリケーションソフトウェアに対して、ユーザが予め選択し登録した高速道路及び一般道路の路線の簡易地図情報を送信し、ユーザ側の携帯端末において動作しているアプリケーションにおいて、簡易地図を描画、表示し、また拡大、縮小、上下左右の移動の動作を可能とした簡易地図上に、ユーザが予め選択し登録した高速道路及び一般道路の路線の渋滞状況や規制状況等を表示し提供するユーザインターフェイスに重点を置いたリアルタイムの交通情報を常時提供し、所望により所望によりユーザの選択によって指定された所望路線の簡易地図及び交通情報を携帯端末に表示する事が出来るように構成することも可能であることは勿論である。
【００４２】
本発明に係る携帯端末用交通情報提供システムは、上記のように構成したものであるため、ユーザ側の携帯端末において動作しているアプリケーションソフトウェアに対して、ユーザが予め選択し登録した高速道路及び一般道路の路線の簡易地図情報を送信し、ユーザ側の携帯端末において動作しているアプリケーションにおいて、簡易地図を描画、表示し、また拡大、縮小、上下左右の移動の動作を可能とすることができ、かつ、ユーザが所望する路線以外の簡易地図情報や渋滞状況、規制状況等の交通情報を提供することなく、簡易地図上に、ユーザが予め選択し登録した高速道路及び一般道路の路線の渋滞状況や規制状況等を表示し提供することができる等、本発明の効果は極めて大きい。
【図面の簡単な説明】
【００４３】
【図１】本発明の一実施形態に係る携帯端末用交通情報提供システムの概略を示すブロック図である。
【図２】同実施の形態における情報提供元から交通情報を受信し、交通情報及び簡易地図情報の要求に対して、要求結果を送信するまでを示した機能概要シーケンス図である。
【図３】同実施の形態におけるユーザの所望により路線データの登録及び変更設定が行われた事を契機に、交通情報及び簡易地図情報の要求を行い、受信結果を描画するまでを示した機能概要シーケンス図である。
【図４】同実施の形態におけるユーザの所望及び一定時間毎の契機で交通情報の要求を行い、交通情報の受信結果を描画するまでを示した機能概要シーケンス図である。
【図５】同実施の形態における交通情報受信データベースの一例を示す構成概略図である。
【図６】同実施の形態における簡易地図情報データベースの一例を示す構成概略図である。
【図７】同実施の形態における路線登録情報データベースの一例を示す構成概略図である。
【図８】同実施の形態における簡易地図画面の一例を示すイメージ図である。
【図９】同実施の形態における簡易地図上に描画された交通情報表示画面を示すイメージ図である。
【符号の説明】
【００４４】
１  交通情報受信手段
２  交通情報受信データ蓄積手段
３  データベース検索手段
４  簡易地図情報蓄積手段
５  情報提供手段
６  情報要求・受信手段
７  交通情報蓄積手段
８  簡易地図情報蓄積手段
９  描画手段
１０  路線登録情報蓄積手段
１１  路線登録変更設定手段
【図１】
2005207921.tif 000003
【図２】
2005207921.tif 000004
【図３】
2005207921.tif 000005
【図４】
2005207921.tif 000006
【図５】
2005207921.tif 000007
【図６】
2005207921.tif 000008
【図７】
2005207921.tif 000009
【図８】
2005207921.tif 000010
【図９】
2005207921.tif 000011